(57)【特許請求の範囲】
【請求項１】
吸込口と吹出口を有する本体ケースと、この本体ケース内に送風手段を備え、この送風手段は羽根車と、羽根車を駆動するモータと、羽根車から送られた空気を吹出口へと供給するファンケーシングによりシロッコファンを形成し、このファンケーシング内に風速分布を均一化する複数の風向板と、この風向板を貫通した貫通孔を設け、この貫通孔内に風向変更ユニットを備え、この風向変更ユニットは、拡大と集中を変更する複数の風向変更板と、この風向変更板を回転可能に支持する回転軸を備えた送風装置であって、前記複数の風向板は、主流の一部をファンケーシングの舌部側へ寄せるようにそれぞれ空気を広げる傾斜をもち、前記吹出口側への角度が互いに異なる構成とし、送風範囲を広げるとき、前記複数の風向変更板と風向板はそれぞれ傾きが一致することを特徴とする送風装置。
【請求項２】
吸込口と吹出口を有する本体ケースと、この本体ケース内に送風手段を備え、この送風手段は羽根車と、羽根車を駆動するモータと、羽根車から送られた空気を吹出口へと供給するファンケーシングによりシロッコファンを形成し、このファンケーシング内に風速分布を均一化する複数の風向板と、この風向板に吹出口側を凹部とする切り欠き部を設け、この切り欠き部に風向変更ユニットを備え、この風向変更ユニットは、拡大と集中を変更する複数の風向変更板と、この風向変更板を回転可能に支持する回転軸を備えた送風装置であって、前記複数の風向板は、主流の一部をファンケーシングの舌部側へ寄せるようにそれぞれ空気を広げる傾斜をもち、前記吹出口側への角度が互いに異なる構成とし、送風範囲を広げるとき、前記複数の風向変更板と風向板はそれぞれ傾きが一致することを特徴とする送風装置。
【請求項３】
風向変更ユニットは、回転軸を回転させることによって送風範囲を拡大する形状と、集中する形状と、真上に吹き出す形状とに切り替えが可能な構成とした請求項１または２のいずれか一つに記載の送風装置。
【請求項４】
空気を乾燥させるヒータと、このヒータにより乾燥した空気を吹出す請求項１から請求項３のいずれか一つの送風装置とを備えた乾燥装置。
【発明の詳細な説明】
【技術分野】
【０００１】
本発明は、除湿機などの空調装置の吹出口に使用される送風装置とこれを用いた乾燥装置に関する。
【背景技術】
【０００２】
従来、この種の送風装置は、回転可能に設けられた軸に複数枚の風向板を取り付けたものを回転することによって、送風範囲を衣類乾燥シーンに応じて変更可能とすることで、乾きムラや衣類乾燥時間の低減を図ることができるものが知られている（例えば、特許文献１参照）。
【０００３】
以下、その送風装置について図１０を参照しながら説明する。
【０００４】
図１０に示すように、本体１０１の上部に設けられた吹出口１０２の直下に、回転軸１０８に風向変更板１０５を複数枚取付けてなる風向変更ユニット１０４を備えている。
【０００５】
そして、風向変更ユニット１０４を小型モータ１０６に回転可能に軸支し、その風向変更ユニット１０４を回転させることにより、乾燥空気の送風範囲を変更可能としたものである。
【先行技術文献】
【特許文献】
【０００６】
【特許文献１】特開２００７−１７０７１１号公報
【発明の概要】
【発明が解決しようとする課題】
【０００７】
このような送風装置では、ファンケーシング内の風速分布を均一にすることができないため、特に幅広く大量に干された衣類に対しては送風できない範囲が発生し、乾燥効率が悪いということが課題であった。
【０００８】
そこで本発明は、衣類の量に応じて送風範囲を変更可能とし、さらにファンケーシング内の風速分布を均一化することにより、送風範囲を変更しても送風できない範囲が発生しないようにすることで、衣類の乾燥効率の向上を目的とするものである。
【課題を解決するための手段】
【０００９】
そして、この目的を達成するために、本発明は、吸込口と吹出口を有する本体ケースと、この本体ケース内に送風手段を備え、この送風手段は羽根車と、羽根車を駆動するモータと、羽根車から送られた空気を吹出口へと供給するファンケーシングによりシロッコファンを形成し、このファンケーシング内に風速分布を均一化する複数の風向板と、この風向板を貫通した貫通孔を設け、この貫通孔内に風向変更ユニットを備え、この風向変更ユニットは、拡大と集中を変更する複数の風向変更板と、この風向変更板を回転可能に支持する回転軸を備えた送風装置であって、前記複数の風向板は、主流の一部をファンケーシングの舌部側へ寄せるようにそれぞれ空気を広げる傾斜をもち、前記吹出口側への角度が互いに異なる構成とし、送風範囲を広げるとき、前記複数の風向変更板と風向板はそれぞれ傾きが一致する送風装置としたものであり、これにより所期の目的を達成するものである。
【００１０】
また、吸込口と吹出口を有する本体ケースと、この本体ケース内に送風手段を備え、この送風手段は羽根車と、羽根車を駆動するモータと、羽根車から送られた空気を吹出口へと供給するファンケーシングによりシロッコファンを形成し、このファンケーシング内に風速分布を均一化する複数の風向板と、この風向板に吹出口側を凹部とする切り欠き部を設け、この切り欠き部に風向変更ユニットを備え、この風向変更ユニットは、拡大と集中を変更する複数の風向変更板と、この風向変更板を回転可能に支持する回転軸を備えた送風装置であって、前記複数の風向板は、主流の一部をファンケーシングの舌部側へ寄せるようにそれぞれ空気を広げる傾斜をもち、前記吹出口側への角度が互いに異なる構成とし、送風範囲を広げるとき、前記複数の風向変更板と風向板はそれぞれ傾きが一致することを特徴とする送風装置としたものであり、これにより所期の目的を達成するものである。
【発明の効果】
【００１１】
本発明によれば、吸込口と吹出口を有する本体ケースと、この本体ケース内に送風手段を備え、この送風手段は羽根車と、羽根車を駆動するモータと、羽根車から送られた空気を吹出口へと供給するファンケーシングによりシロッコファンを形成し、このファンケーシング内に風速分布を均一化する複数の風向板と、この風向板を貫通した貫通孔を設け、この貫通孔内に風向変更ユニットを備え、この風向変更ユニットは、拡大と集中を変更する複数の風向変更板と、この風向変更板を回転可能に支持する回転軸を備えた送風装置であって、前記複数の風向板は、主流の一部をファンケーシングの舌部側へ寄せるようにそれぞれ空気を広げる傾斜をもち、前記吹出口側への角度が互いに異なる構成とし、送風範囲を広げるとき、前記複数の風向変更板と風向板はそれぞれ傾きが一致する構成にしたことにより、衣類の量に応じて送風範囲を変更可能とし、さらにファンケーシング内の風速分布を均一化することにより、送風範囲を変更する場合、特に送風範囲を拡大しても送風できない範囲が発生しないようにすることで、衣類の乾燥効率の向上をすることができるものである。
【００１２】
すなわち、送風動作において、モータの駆動によって回転した羽根車によって吸込口から吸込まれた空気は、ファンケーシングを介して吹出口に送風される。ここで、送風された空気はファンケーシング内の風向板から風向変更ユニットの風向変更板を介して吹出口に送風される。このとき、羽根車から送られた風がケーシング内に設けた複数の風向板への付着効果を奏しながらケーシング内に広がることによって風速の分布が均一化する。そして、均一化された風が風向変更ユニットの風向変更板を通過することによって、風速を均一に保ったまま送風できない範囲に風があたるようにすることができる。
【００１３】
これらの結果により、衣類の乾燥効率を向上するという効果を得ることができる。
【００１４】
また、本発明によれば、吸込口と吹出口を有する本体ケースと、この本体ケース内に送風手段を備え、この送風手段は羽根車と、羽根車を駆動するモータと、羽根車から送られた空気を吹出口へと供給するファンケーシングによりシロッコファンを形成し、このファンケーシング内に風速分布を均一化する複数の風向板と、この風向板に吹出口側を凹部とする切り欠き部を設け、この切り欠き部に風向変更ユニットを備え、この風向変更ユニットは、拡大と集中を変更する複数の風向変更板と、この風向変更板を回転可能に支持する回転軸を備えた送風装置であって、前記複数の風向板は、主流の一部をファンケーシングの舌部側へ寄せるようにそれぞれ空気を広げる傾斜をもち、前記吹出口側への角度が互いに異なる構成とし、送風範囲を広げるとき、前記複数の風向変更板と風向板はそれぞれ傾きが一致する構成にしたことによって、衣類の量に応じて送風範囲を変更可能とし、さらにファンケーシング内の風速分布を均一化することにより、送風できない範囲に風があたるようにすることで、衣類の乾燥効率の向上する効果を得ることができる。さらに、吹出口を上面だけでなく側面に設けた場合でも、ファンケーシング内の風速分布を均一化することができるので、設計の自由度が増すという効果を得ることができる。
【図面の簡単な説明】
【００１５】
【図１】本発明の実施の形態１の送風装置の断面斜視図
【図２】本発明の実施の形態１のファンケーシングの断面図
【図３】本発明の実施の形態１の風向変更ユニットの風向を拡大させた場合の断面斜視図
【図４】本発明の実施の形態１の設計の自由度を持たせた場合のファンケーシングの断面図
【図５】本発明の実施の形態１の風向板と風向変更ユニットの拡大断面図
【図６】本発明の実施の形態１の風向変更ユニットを１８０°回転させた場合の断面斜視図
【図７】本発明の実施の形態１の風向変更ユニットを９０°回転させた場合の断面斜視図
【図８】本発明の実施の形態１の風向板とファンケーシングの断面図
【図９】本発明の実施の形態１の乾燥装置の断面斜視図
【図１０】従来の送風装置の吹出部を示す斜視図
【発明を実施するための形態】
【００１６】
本発明の請求項１記載の送風装置は、吸込口と吹出口を有する本体ケースと、この本体ケース内に送風手段を備え、この送風手段は羽根車と、羽根車を駆動するモータと、羽根車から送られた空気を吹出口へと供給するファンケーシングによりシロッコファンを形成し、このファンケーシング内に風速分布を均一化する複数の風向板と、この風向板を貫通した貫通孔を設け、この貫通孔内に風向変更ユニットを備え、この風向変更ユニットは、拡大と集中を変更する複数の風向変更板と、この風向変更板を回転可能に支持する回転軸を備えた送風装置であって、前記複数の風向板は、主流の一部をファンケーシングの舌部側へ寄せるようにそれぞれ空気を広げる傾斜をもち、前記吹出口側への角度が互いに異なる構成とし、送風範囲を広げるとき、前記複数の風向変更板と風向板はそれぞれ傾きが一致する構成としている。これにより、衣類の量に応じて送風範囲を変更可能とし、さらにファンケーシング内の風速分布を均一化することにより、送風範囲を変更する場合、特に送風範囲を拡大しても送風できない範囲が発生しないようにすることで、衣類の乾燥効率の向上する効果を奏する。
【００１７】
また、吸込口と吹出口を有する本体ケースと、この本体ケース内に送風手段を備え、この送風手段は羽根車と、羽根車を駆動するモータと、羽根車から送られた空気を吹出口へと供給するファンケーシングによりシロッコファンを形成し、このファンケーシング内に風速分布を均一化する複数の風向板と、この風向板に吹出口側を凹部とする切り欠き部を設け、この切り欠き部に風向変更ユニットを備え、この風向変更ユニットは、拡大と集中を変更する複数の風向変更板と、この風向変更板を回転可能に支持する回転軸を備えた送風装置であって、前記複数の風向板は、主流の一部をファンケーシングの舌部側へ寄せるようにそれぞれ空気を広げる傾斜をもち、前記吹出口側への角度が互いに異なる構成とし、送風範囲を広げるとき、前記複数の風向変更板と風向板はそれぞれ傾きが一致することを特徴とするものである。これにより、衣類の量に応じて送風範囲を変更可能とし、さらにファンケーシング内の風速分布を均一化することにより、送風範囲を変更する場合、特に送風範囲を拡大しても送風できない範囲が発生しないようにすることで、衣類の乾燥効率の向上する効果を奏する。さらに、吹出口を上面だけでなく側面に設けた場合でも、ファンケーシング内の風速分布を均一化することができるので、設計の自由度が増すという効果を奏する。
【００１８】
また、風向変更ユニットは、回転軸を回転させることによって送風範囲を拡大する形状と、縮小する形状と、拡大と縮小の中間の送風範囲で吹き出す形状とに切り替えが可能な構成としたものである。これによって、衣類が多く干されている場合から少ない場合まで送風範囲を変更することが出来るため、衣類の乾燥効率を向上する効果を奏する。
【００１９】
また、空気を乾燥させるヒータと、このヒータの空気を吹出す請求項１から請求項３のいずれか一つの送風装置とを備えた乾燥装置である。これによって、乾燥した空気を吹出すことが可能となるため、衣類の乾燥効率を向上する効果を奏する。
【００２０】
以下、本実施形態を添付図面を用いて説明する。
【００２１】
（実施の形態１）
本実施形態の送風装置について、図１を参照しながら説明する。
【００２２】
図１に示すように、吸込口１と吹出口２を有する本体ケース３と、この本体ケース３内に設けられた送風手段４とを備え、この送風手段４は羽根車５と、羽根車５を駆動するモータ６と、羽根車５から送られた空気を吹出口２へと供給するファンケーシング７により形成している。
【００２３】
さらに、このファンケーシング７内に風速分布を均一化する風向板８と、この風向板８を貫通した貫通孔９を設け、この貫通孔９内に風向変更ユニット１０を備え、この風向変更ユニット１０は、風向変更板１１と、この風向変更板１１を回転可能に支持する回転軸１２を備えたことによって、衣類の乾燥効率の向上をすることができるものである。
【００２４】
なお、送風手段４はシロッコファン、ターボファン、ラジアルファンおよびクロスフローファンなど使用用途の吸込風量や吐出し圧力に応じて適宜選択可能である。
【００２５】
ここで、送風動作について説明する。図１に示すように、送風範囲を広げるときにおいて、吸込口１から取り込まれた空気は、モータ６の駆動によって回転した羽根車５によって、ファンケーシング７を介して吹出口２に送風される。送風された空気はファンケーシング７内の風向板８から風向変更ユニット１０の風向変更板１１を介して吹出口２に送風される。このとき、羽根車５から送られた風がファンケーシング７内に設けた複数の風向板８に付着しながらファンケーシング７内に広がることによって風速の分布が均一化する。そして、均一化された風が風向変更ユニット１０の風向変更板１１を通過することによって、風速を均一に保ったまま送風できない範囲に風があたるようにすることができる。
【００２６】
なお、羽根車５と吹出口２までの距離とファンケーシング７の大きさにもよるが、風向板８が設けられない状態では、ほとんどの流れがファンケーシングの舌部１９がある側面と反対側の面に付着してしまうため、ファンケーシングの舌部１９側の面に沿った流れはほとんどなく、風向変更板１１から送風されない。すなわち図１のように送風範囲を拡大する場合特に送風できない範囲が発生してしまう。そのため、風向板８は、ファンケーシングの舌部１９がある側面の反対側に偏った主流の一部をファンケーシングの舌部１９側へと寄せるために、ファンケーシング７の流れ方向に沿って設けられ、さらに主流を分割するように風向板８の側面に付着させながら、ファンケーシングの舌部１９側へと流れを均一化するものである。
【００２７】
つまり、衣類の量に応じて送風範囲を変更可能とし、さらにファンケーシング内の風速分布を均一化することにより、送風範囲を変更する場合、特に送風範囲を拡大しても送風できない範囲が発生しないようにすることで、衣類の乾燥効率の向上することができる。
【００２８】
また、風向変更ユニット１０は、回転軸１２を回転する回転手段１５を備えたものである。回転手段１５は、モータ６の他にリンク機構を使用したものでもよい。具体的には、回転軸１２を制御することにより、風向変更ユニット１０の風向範囲を衣類の量や干されている長さに応じて変えることができるので、乾燥シーンに応じた送風範囲を設定できるため、衣類の乾燥効率を向上させることができる。
【００２９】
さらに、回転手段１５を用いない場合は、手動操作によって回転軸１２を回転することにより、送風範囲を設定することができる。
【００３０】
また、風向板８は、複数枚備えられている。これにより、羽根車５によって送られた空気を風向板８に付着させ、ファンケーシング７内で風速分布を均一化することができる。均一化された空気は、後段の風向変更板１１によって送風範囲を容易に変更することが可能となるため、吹出口２からの空気を均一化することができ、衣類の乾燥効率を向上する効果を奏する。
【００３１】
また、風向板８は、吹出口２側への角度が異なる構成としたものである。これにより、空気の風向板８への付着効果を利用して、送風範囲を拡大することができるため、空気の流れの乱れによる風量低下を少なくすることができるため、衣類の乾燥効率を向上する効果を奏する。
【００３２】
次に、ファンケーシング７の断面について、図２を用いて説明する。
【００３３】
図２に示すように、風向変更ユニット１０は回転軸１２方向の投影外形を円形としたものである。具体的には、風向変更ユニット１０は、風向板８を円筒状にくり抜き、風向板８から約５ｍｍ以下、例えば２〜３ｍｍのクリアランスをとって風向変更板１１を形成したものであり、風向板８と風向変更板１１とのクリアランスを最小に保ったまま回転軸１２を回転させることが可能としたものである。このため、送風範囲を拡大させる場合には風向板８に付着した風を漏らすことなく風向変更板１１に導くことができる。すなわち、風向板８で羽根車５からの風を均一化するとともに、風を漏らすことなく各風向変更板の方向に従い吹出口２全体から均一に送風できるため、衣類の乾燥効率の向上させることができる。
【００３４】
また、風向変更板１１は、投影面積がほぼ同じとしたものである。これにより、風向変更ユニット１０を回転した場合においても、風向変更板１１同士が接触することなく、スムーズに送風範囲の切り替えが出来るため、衣類の乾燥効率を向上する効果を奏する。
【００３５】
なお、風向板８は羽根車から３０ｍｍ程度離している。近すぎると、ファンの回転数低下や圧力損失となるため、この程度離した位置に設けることが望ましい。これによって、羽根車５からの風の風速を渦の発生や乱流の発生により低下させることや流れを乱すことなく、風向板８に付着させることが出来るため、ファンケーシング７内での風速分布を均一にすることができるため、衣類の乾燥効率を向上することができる。
【００３６】
次に、風向変更ユニットの風向を拡大させた場合について、図３を用いて説明する。
【００３７】
図３に示すように、風向変更ユニット１０が送風範囲を拡大する位置にあるとき、ファンケーシングの舌部１９側に位置する風向変更板１１ａの傾斜角度と、前記ファンケーシングの吐出部２０の角度とを略一致させてなるものである。具体的には、ファンケーシング７内において、羽根車５の風がファンケーシングの舌部１９に付着し、付着を保ったまま風向変更ユニット１０の風向変更板１１へ流れるため、風路圧損や風量低下が少ない状態で送風範囲を拡大できるため、衣類の乾燥効率を向上することができる。
【００３８】
次に、設計の自由度を持たせた場合のファンケーシングについて、図４を用いて説明する。
【００３９】
図４に示すように、本実施形態の送風装置は、吸込口１と吹出口２を有する本体ケース３と、この本体ケース３内に設けられた送風手段４とを備え、この送風手段４は羽根車５と、羽根車５を駆動するモータ６と、羽根車５から送られた空気を吹出口２へと供給するファンケーシング７により形成している。
【００４０】
さらに、このファンケーシング７内に風速分布を均一化する風向板８と、この風向板８に吹出口側を凹部とする切り欠き部１３を設け、この貫通孔９内に風向変更ユニット１０を備え、この風向変更ユニット１０は、風向変更板１１と、この風向変更板１１を回転可能に支持する回転軸１２を備えたものである。具体的には、風向板８の吹出口２端部を通るように凹形状の貫通孔９を設け、この凹部の切り欠き部１３に収まるようにして風向変更ユニット１０を備えている。
【００４１】
送風範囲を広げるとき、風向変更ユニット１０の風向変更板１１と風向板８は傾きが略一致の形状を有しており、これにより、ファンケーシング７内の風速分布を均一化し、送風できない範囲に風があたるようにすることができ、衣類の乾燥効率を向上する効果を奏する。また、このとき吹出口２を上面だけでなく側面に設けた場合でも、ファンケーシング７内の風速分布を均一化することができるので、吹出口やグリル部材１４の設計の自由度が増すという効果を奏する。
【００４２】
次に、風向板と風向変更ユニットついて、図５を用いて説明する。
【００４３】
図５に示すように、風向板８は、吹出口２の近傍でファンケーシング７内の空気を広範囲に広げる曲線形状１７を有するものである。なお、風を広げる範囲に応じて、曲率を有する曲線形状１７に限らず、傾斜をもつ直線形状１６でもよい。これによって、ファンケーシング７内で均一化された風を風向板８に付着させながら風の方向を変更できるので送風できない範囲に風があたるようにすることができ、衣類の乾燥効率を向上することができる。
【００４４】
また、風向板８は、吹出口２側から羽根車５側にかけて板の厚みが徐々に薄くなるものである。これによって、羽根車５付近での風路抵抗を少なくし風量低下することを抑えることが可能となり、衣類の乾燥効率を向上することができる。
【００４５】
次に、風向変更ユニットを図３の状態から１８０°回転させた場合について、図６を用いて説明する。
【００４６】
図６に示すように、風向変更ユニット１０は、回転軸１２を回転させることによって送風範囲を拡大する形状から、集中する形状に切り替えが可能な構成である。
【００４７】
また、風向変更ユニット１０が送風範囲を集中する位置にあるとき、ファンケーシングの舌部１９に最も近接して位置する風向変更板１１と、前記ファンケーシングの舌部１９との間隔を狭くして、風の漏れを防ぐ構成としたものである。具体的には、ファンケーシング７内で風向変更ユニット１０を送風範囲を縮小する状態としたとき、羽根車５の風がファンケーシング７の舌部に付着し、付着を保ったまま風向変更ユニット１０のファンケーシングの舌部１９に最も近接して位置する風向変更板１１ｂへ流れるため、風量低下を少なくして送風範囲を縮小できるため、衣類が集中して干されている場合において衣類の乾燥効率を向上することができる。
【００４８】
また、風向変更ユニットを図３の状態から９０°回転させた場合について、図７を用いて説明する。
【００４９】
図７に示すように、風向変更ユニット１０を９０゜回転することによって、送風範囲を拡大する形状から真上に吹出す形状へと切り替えることができる。なお、送風範囲を集中する形状から真上に吹出す形状への切り替えも可能である。
【００５０】
このように、風向変更ユニット１０は、風向範囲を衣類の量や干されている長さに応じて変えることができるので、乾燥シーンに応じた送風範囲を設定できるため、衣類の乾燥効率を向上させることができる。
【００５１】
なお、風向変更ユニット１０の取り付け位置は、風向変更板１１の中央付近に設けた場合や、風向変更板１１の羽根車５側に設けた場合においた場合でも、送風範囲を変更することは可能であるが、風向板による風速分布の均一化の効果を発揮し送風範囲変更に効果的でかつ風路圧損も少なくできるため、風向板８の吹出口２付近に設けることが望ましい。
【００５２】
また、風向板８内の貫通孔９に設けない風向変更板１１は、ファンケーシング７内で風速分布がほぼ均一な箇所に設けた構成としたものである。具体的には、ファンケーシング７内において、羽根車５の風は、風向板８を経由し風速を均一化し、さらに風向変更板１１によって送風範囲を変更される。このとき、風向板８はファンケーシング７内の風速分布を均一化することに寄与するため、ファンケーシング７内の風速が既に均一に保たれている場合においては必ずしも風向板８は必要ではない。そのため、風向変更板１１の枚数が風向板８よりも多い場合もある。また、風路抵抗について言及すると、風向板８の枚数はなるべく少ないほうがよいため、羽根車側に近い風向板８の枚数をなるべく減らし圧力損失を少なくしながら送風範囲を広くすることで衣類の乾燥効率を向上することができる。
【００５３】
以下、風向板とファンケーシングついて、図８を用いて説明する。
【００５４】
図８に示すように、風向板８の成型は、１枚の風向板８を２枚の部材から形成し、かつ、それぞれの部材をファンケーシング７とファンケーシングの蓋１８の部材に取り付けて型を作り、その型を両面から抜くことで成型を行う方法がある。
【００５５】
以下、乾燥装置ついて、図９を用いて説明する。
【００５６】
図９に示すように、空気を乾燥させるヒータ２１と、このヒータ２１の空気を吹出す請求項１から請求項１１のいずれか一つの送風装置とを備えた乾燥装置である。なお、ヒータはニクロムヒータやＰＴＣヒータ、セラミックヒータなど乾燥対象物へ投入する熱量によって適宜選択可能とする。具体的には、吸込口１から吸込まれた空気が、ヒータ２１を通ることによって加熱され、昇温した空気がファンケーシング７内に送られる。ファンケーシング７内では、風向板８により均一化され、さらに均一化された空気が風向変更板１１によって衣類の量に合わせて風向を変更できるとともに吹出口２全体から均一に送風できるため、衣類の乾燥効率を向上することができる。
【産業上の利用可能性】
【００５７】
以上のように本発明は、吸込口と吹出口を有する本体ケースと、この本体ケース内に送風手段を備え、この送風手段は羽根車と、羽根車を駆動するモータと、羽根車から送られた空気を吹出口へと供給するファンケーシングにより形成し、このファンケーシング内に風速分布を均一化する風向板と、この風向板を貫通した貫通孔を設け、この貫通孔内に風向変更ユニットを備え、この風向変更ユニットは、風向変更板と、この風向変更板を回転可能に支持する回転軸を備えた構成にしたことにより、衣類の量に応じて送風範囲を変更可能とし、さらにファンケーシング内の風速分布を均一化することにより、送風範囲を変更する場合、特に送風範囲を拡大しても送風できない範囲が発生しないようにすることで、衣類の乾燥効率の向上をすることができるものである。
【００５８】
すなわち、送風動作において、モータの駆動によって回転した羽根車によって生じた空気の流れは、ファンケーシングを介して吹出口に送風される。ここで、送風された空気はファンケーシング内の風向板から風向変更ユニットの風向変更板を介して吹出口に送風される。このとき、羽根車から送られた風がケーシング内に設けた複数の風向板に付着しながらケーシング内に広がることによって風速の分布が均一化する。そして、均一化された風が風向変更ユニットの風向変更板を通過することによって、風速を均一に保ったまま送風できない範囲に風があたるようにすることができる。
【００５９】
これらの結果により、衣類の乾燥効率を向上するという効果を得ることができる。
【００６０】
従って、家庭用や事務所用などの除湿機や浴室衣類乾燥機および空気調和機の送風装置として活用が期待されるものである。
【符号の説明】
【００６１】
１      吸込口
２      吹出口
３      本体ケース
４      送風手段
５      羽根車
６      モータ
７      ファンケーシング
８      風向板
９      貫通孔
１０    風向変更ユニット
１１    風向変更板
１１ａ  風向変更板
１１ｂ  風向変更板
１２    回転軸
１３    切り欠き部
１４    グリル部材
１５    回転手段
１６    直線形状
１７    曲線形状
１８    ファンケーシングの蓋
１９    ファンケーシングの舌部
２０    ファンケーシングの吐出部
２１    ヒータ
１０１  本体
１０２  吹出口
１０４  風向変更ユニット
１０５  風向変更板
１０６  小型モータ
１０８  回転軸
【図１】
0005471250.tif 000002
【図２】
0005471250.tif 000003
【図３】
0005471250.tif 000004
【図４】
0005471250.tif 000005
【図５】
0005471250.tif 000006
【図６】
0005471250.tif 000007
【図７】
0005471250.tif 000008
【図８】
0005471250.tif 000009
【図９】
0005471250.tif 000010
【図１０】
0005471250.tif 000011